(57)【要約】【課題】とくに表面および裏面に販売促進用の情報を表示し、その裏面における粘着剤層５の面積が極端に少ないシールであって、その製造工程および取扱い工程においてシール本体９の剥離を防止可能な商品シールを提供すること。【解決手段】商品シールの製造工程においてこれをカットする際に容易に破断可能な不連続部１０を残すこと、シール本体９の一部に形成した貼付け用端部１１のみに粘着剤層５を形成することに着目し、シール基材２の表面に形成して情報を表示可能な表面印刷層３と、商品ないしその容器にシール基材２を貼り付け可能な粘着剤層５と、を有し、商品の販売促進用に適した形状の外形線８に沿ってシール基材２を少なくともひとつの不連続部１０を残してカットしてシール本体９とするとともに、シール本体９の一部に貼付け用端部１１を形成し、貼付け用端部１１のみに粘着剤層５を形成することを特徴とする。【選択図】図１
2008040191.tif 000002
【特許請求の範囲】
【請求項１】
商品に関する販売促進用の情報を表示するとともに、この商品ないしその容器に貼り付ける商品シールであって、
シール基材と、
このシール基材の表面に形成して前記情報を表示可能な表面印刷層と、
このシール基材の裏面に形成して前記商品ないしその容器にこのシール基材を貼り付け可能な粘着剤層と、
を有し、
前記商品の販売促進用に適した形状の外形線に沿って前記シール基材を少なくともひとつの不連続部を残してカットしてシール本体とするとともに、
このシール本体の一部に貼付け用端部を形成し、この貼付け用端部のみに前記粘着剤層を形成することを特徴とする商品シール。
【請求項２】
前記貼付け用端部の近傍において前記シール本体に、少なくともひとつの不連続部を残して貫通窓部を形成することを特徴とする請求項１記載の商品シール。
【請求項３】
前記貼付け用端部に、少なくともひとつの不連続部を残して貫通窓部を形成することを特徴とする請求項１記載の商品シール。
【請求項４】
前記シール本体の裏面に形成して前記商品の前記販売促進用の情報を表示可能な裏面印刷層を有することを特徴とする請求項１記載の商品シール。
【発明の詳細な説明】
【技術分野】
【０００１】
本発明は商品シールにかかるもので、とくにそれぞれの商品に応じた販売促進用の情報を表示可能な商品シールに関するものである。
【背景技術】
【０００２】
従来から、商品の販売促進用として、商品についての各種の情報を印刷表示した商品シールをそれぞれの商品あるいはその容器に貼り付けることが行われている。
しかして、とくに高価ないし珍しい果物その他の商品について販売促進用の情報を商品シールの表面のみならずその裏面にも印刷するような場合には、この印刷部があるために裏面に貼付け用の粘着剤層を形成することが困難であるという問題がある。
とくに、シール製造工程において、裏面印刷部ないし当該粘着剤層のない領域の面積が大きいと、貼付け用部分として専用に形成した部分の面積が相対的に小さくなり、その裏面を剥離紙（台紙）に有効に仮着することができないことになる。
したがって、商品シールの製造カット工程において、その外形線に沿ってシール本体をカットした場合に、シール本体が剥離紙から脱落したり、剥離紙との間の剥離が生じてシール本体にシワが発生するという問題がある。
【０００３】
また、商品シールの裏面全体に粘着剤層を塗布するような場合には、商品シールが商品あるいはその容器の表面に沿って平面的に貼り付けられるために、立体的な取付けが困難であるという問題がある。
さらに、販売促進用の情報を商品シールの表面のみに表示してあっても、この情報をより有効にアピールするために商品シール自体を折り曲げるなどして立体的な表示を行おうとする場合にも、上述と同様に商品シールの裏面全面に粘着剤層が形成されていると、立体的な取付けが困難であるという問題が生ずることになる。
【０００４】
【特許文献１】特開２００３−８１７０１号公報
【発明の開示】
【発明が解決しようとする課題】
【０００５】
本発明は以上のような諸問題にかんがみなされたもので、その裏面における粘着剤層の面積が極端に少ない商品シールを提供することを課題とする。
【０００６】
また本発明は、とくに表面および裏面に販売促進用の情報を表示可能とするとともに、その製造工程および取扱い工程においてシール本体の脱落ないし剥離紙からの剥離を防止可能な商品シールを提供することを課題とする。
【０００７】
また本発明は、その製造工程におけるカット加工によって生じかねない、シール本体の剥離、脱落、あるいはシワの発生などを防止可能とした商品シールを提供することを課題とする。
【０００８】
また本発明は、商品の種類に応じて、その販売促進のための表示形態を立体的にすることが可能な商品シールを提供することを課題とする。
【０００９】
また本発明は、その表示形態として、商品自体の一部と組み合わせて、ないし商品の種類に応じて、その販売促進のための表示形態を立体的にすることが可能な商品シールを提供することを課題とする。
【課題を解決するための手段】
【００１０】
すなわち本発明は、商品シールの製造工程においてこれをカットする際に容易に破断可能な不連続部を残すこと、およびシール本体の一部に形成した貼付け用端部のみに粘着剤層を形成することに着目したもので、商品に関する販売促進用の情報を表示するとともに、この商品ないしその容器に貼り付ける商品シールであって、シール基材と、このシール基材の表面に形成して上記情報を表示可能な表面印刷層と、このシール基材の裏面に形成して上記商品ないしその容器にこのシール基材を貼り付け可能な粘着剤層と、を有し、上記商品の販売促進用に適した形状の外形線に沿って上記シール基材を少なくともひとつの不連続部を残してカットしてシール本体とするとともに、このシール本体の一部に貼付け用端部を形成し、この貼付け用端部のみに上記粘着剤層を形成することを特徴とする商品シールである。
【００１１】
上記貼付け用端部の近傍において上記シール本体に、少なくともひとつの不連続部を残して貫通窓部を形成することができる。
【００１２】
上記貼付け用端部に、少なくともひとつの不連続部を残して貫通窓部を形成することができる。
【００１３】
上記シール本体の裏面に形成して上記商品の上記販売促進用の情報を表示可能な裏面印刷層を有することができる。
【００１４】
上記シール基材は、たとえば、これをぶどうの葉の外形線、あるいはメロンないしその葉の形状の外形線などに沿ってカットすることにより商品と組み合わせた表示形態を採ることができる。
【発明の効果】
【００１５】
本発明による商品シールにおいては、商品シールをそのシール本体の外形線に沿って所定の形状にカットする際に、容易に破断可能なもろい不連続部（点留め部）を残すとともに、シール本体の一部に形成した貼付け用端部のみに粘着剤層を形成するようにしたので、粘着剤層の面積が比較的少ない商品シールの製造工程およびその後の取扱い時において、シール本体が剥離紙から脱落したり、シワが生じたりすることを防止可能である。
さらに、その裏面の大部分に粘着剤層が形成されていないので、貼付け用端部以外の部分を立体的に折り曲げたり、あるいは、必要に応じて形成した貫通窓部に、たとえばぶどうなどの果物の枝や蔓を通して商品との一体感を増し、さらなる販売促進効果を期待することができる。
【発明を実施するための最良の形態】
【００１６】
本発明は、シール本体が、わずかな面積の貼付け用端部と、より広い面積の糊なし領域部（粘着剤層なしの領域）と、を有するものであっても、容易に破断可能な不連続部を残したカット加工により、シール本体の脱落を防いで取扱いを容易とし、各種の商品の販売促進用の情報を有効に、かつ自由度を多くして表示可能な商品シールを実現した。
【実施例】
【００１７】
つぎに本発明の実施例による商品シール１を図１ないし図８にもとづき説明する。
図１は、商品シール１の平面図、図２は、図１のＩＩ−ＩＩ線断面図、図３は、図１のＩＩＩ−ＩＩＩ線断面図、図４は、図１のＩＶ−ＩＶ線断面図である。
商品シール１は、商品に関する販売促進用の情報を表示するとともに、この商品ないしその容器に貼り付ける商品シールであって、シール基材２と、シール基材２の表面側の表面印刷層３と、シール基材２の裏面側の裏面印刷層４と、同じく裏面側の粘着剤層５と、剥離紙６（台紙）と、を有する。剥離紙６の表面には剥離剤層７を形成してある。
【００１８】
シール基材２は、帯状に形成した上質紙や合成樹脂製基材その他任意の材料からなるシート状基材であって、図１に示すように、その表面に商品たとえばぶどうの一種であるピオーネについて販売促進用の情報を表面印刷層３および裏面印刷層４にそれぞれ表示している。
シール基材２には、商品の販売促進用に適した形状の外形線８に沿ってシール基材２その下層側の粘着剤層５をカットしてシール本体９を形成している。
【００１９】
このシール本体９は、その販売を促進したい商品の種類などに応じて任意の形状にカットするもので、たとえば、ピオーネの葉の形状を呈しているとともに、その表面（表面印刷層３）および裏面（裏面印刷層４）ともに全体の地色が緑で、葉脈などもデザインの許す限り印刷することができる。
ただし、シール本体９としては、少なくともひとつの容易に破断可能なもろい、ただし、意図して破断しようとしない限り通常は自然には破断しない不連続部１０（点留め部）を残してカットすることにより、シール本体９が商品シール１全体から剥離あるいは脱離しないようにしている。
このシール本体９の一部に所定長さおよび所定幅の細長い貼付け用端部１１を突出形成し、この貼付け用端部１１のみに粘着剤層５を形成している。
【００２０】
粘着剤層５は、シール基材２の裏面にこれを形成して商品ないしその容器にこのシール基材２（シール本体９）を貼り付け可能であるが、貼付け用端部１１の裏面、およびシール本体９以外の商品シール１（シール基材２）の裏面のみにこれを形成している。
貼付け用端部１１の近傍においてシール本体９に、すなわち、上記外形線８の内部においてシール基材２に少なくともひとつの不連続部１０を残して、たとえば円形の貫通窓部１２を形成する。
なお貫通窓部１２の形成位置は任意であり、たとえば図１に仮想線で示すように、貼付け用端部１１の内部において、少なくともひとつの不連続部１０を残して貫通窓部１２を形成するようにカットすることもできる。
【００２１】
剥離紙６は、粘着剤層５を介してシール基材２（シール本体９）をその表面側に仮着しているもので、この剥離紙６からシール本体９を剥離することにより、使用可能なシール本体９を得ることができる。
【００２２】
図５は、商品シール１ないし剥離紙６から剥離した状態のシール本体９の平面図、図６は、同、シール本体９の裏面図であって、図５には表面印刷層３が、図６には裏面印刷層４がそれぞれ図示されている。
【００２３】
なお、上述の商品シール１（シール本体９）を製造するにあたっては、まずシール基材２の表裏面に表面印刷層３および裏面印刷層４を印刷し、シール本体９の貼付け用端部１１のみ、および貼付け用端部１１以外のシール基材２の裏面のみに粘着剤層５を塗布形成したのち、剥離剤層７付きの剥離紙６を仮着する。
ついで、シール本体９の部分を外形線８に沿って所定形状にカットする。ただし、既述のように、不連続部１０を残してカットすることにより、剥離紙６からのシール本体９の脱落を防止可能とする。
【００２４】
こうした構成の商品シール１（シール本体９）の使用にあたっては、図７および図８に示すような使用が可能である。
図７は、ぶどうＧ（ピオーネ）の透明な容器Ｃにシール本体９を貼り付けた状態を示す斜視図であって、ぶどうＧ自体は、容器Ｃの底部に敷いた柔軟シートＳの上に置くようにこれを容器Ｃに収納する。さらに、容器Ｃの頂部に開けた貫通孔Ｐから外部に突出させた蔓Ｂをシール本体９の貫通窓部１２に挿通した上でシール本体９を細長い貼付け用端部１１の部分で容器Ｃの頂部に貼り付けている。
したがって、容器Ｃ外部にあって葉の模様を呈したシール本体９が葉のイメージを保ちながらシール本体９を固定し、容器Ｃ内部のぶどうＧとともにその表面印刷層３により、顧客の注目を引くことができる。
【００２５】
図８は、シール本体９の一部を折り曲げて容器Ｃ上で立体的に表示可能とした状態の斜視図であって、このような立体表示により、さらに顧客の注目を引くことができるとともに、シール本体９の裏面側の裏面印刷層４についても顧客にアピールすることができる。
ただし、裏面印刷層４の全体を視認可能としたい場合には、図１に示したように、貫通窓部１２を貼付け用端部１１内に形成し、粘着剤層５を形成していないシール本体９の裏面全体を顧客が見えるようにすることもできる。
【００２６】
さらに、ぶどうＧが容器Ｃに収納されずに、一房ごとに陳列される場合には、蔓Ｂの部分に貼付け用端部１１を巻き付けるように貼り付けることにより、シール本体９をぶどうＧを一体化し、商品のアピール効果を増すことができる。
【００２７】
なお本発明は、上述のぶどうＧの場合に限らず、任意の果物や野菜その他の商品についての情報を表示可能であるが、とくに極端に粘着剤層５の面積が少ない商品シールや、粘着剤層５の塗布位置が複数箇所にわたるような複雑な商品シールにも応用可能である。
【図面の簡単な説明】
【００２８】
【図１】本発明の実施例による商品シール１の平面図である。
【図２】同、図１のＩＩ−ＩＩ線断面図である。
【図３】同、図１のＩＩＩ−ＩＩＩ線断面図である。
【図４】同、図１のＩＶ−ＩＶ線断面図である。
【図５】同、商品シール１ないし剥離紙６から剥離した状態のシール本体９の平面図である。
【図６】同、シール本体９の裏面図である。
【図７】同、ぶどうＧ（ピオーネ）の透明な容器Ｃにシール本体９を貼り付けた状態を示す斜視図である。
【図８】同、シール本体９の一部を折り曲げて容器Ｃ上で立体的に表示可能とした状態の斜視図である。
【符号の説明】
【００２９】
１  商品シール（実施例）
２  シール基材
３  表面印刷層
４  裏面印刷層
５  粘着剤層
６  剥離紙
７  剥離剤層
８  シール本体９の外形線
９  シール本体
１０  もろい不連続部（点留め部）
１１  貼付け用端部
１２  貫通窓部
Ｇ    ぶどう（ピオーネ）
Ｂ    ふどうＧの蔓
Ｃ    容器
Ｓ    柔軟シート
Ｐ    容器Ｃの頂部における貫通孔
【図１】
2008040191.tif 000003
【図２】
2008040191.tif 000004
【図３】
2008040191.tif 000005
【図４】
2008040191.tif 000006
【図５】
2008040191.tif 000007
【図６】
2008040191.tif 000008
【図７】
2008040191.tif 000009
【図８】
2008040191.tif 000010